(57)【要約】【課題】発生する電磁波ノイズを少なくし、ＥＭＩ規制に対応が容易な印刷装置を提供する。【解決手段】印刷媒体に印刷ドットを印刷するための複数の印刷駆動部と、電磁波ノイズデータとして、前記印刷駆動部の駆動に伴い発生する電磁波ノイズの値である発生電磁波ノイズ値と前記発生電磁波ノイズの許容値を示す許容電磁波ノイズ値とを記憶する記憶部と、前記印刷駆動部の駆動を制御する制御部と、を備え、前記制御部は、前記発生電磁波ノイズ値が前記許容電磁波ノイズ値以下となるように、同時に駆動する前記印刷駆動部の数を制御することを特徴とする印刷装置。【選択図】図５
2018153951.tif 000002
【特許請求の範囲】
【請求項１】
印刷媒体に印刷ドットを印刷するための複数の印刷駆動部と、
電磁波ノイズデータとして、前記印刷駆動部の駆動に伴い発生する電磁波ノイズの値である発生電磁波ノイズ値と前記発生電磁波ノイズの許容値を示す許容電磁波ノイズ値とを記憶する記憶部と、
前記印刷駆動部の駆動を制御する制御部と、を備え、
前記制御部は、前記発生電磁波ノイズ値が前記許容電磁波ノイズ値以下となるように、同時に駆動する前記印刷駆動部の数を制御することを特徴とする印刷装置。
【請求項２】
請求項１において、
前記制御部は、複数の前記印刷ドットを所定の時間間隔を空けて分割して前記印刷駆動部を制御することにより、前記同時に印刷される複数の前記印刷ドットの数を削減することを特徴とする印刷装置。
【請求項３】
請求項１または２において、
さらに、印刷パターン生成部を備え、
前記印刷パターン生成部は、印刷データから前記印刷ドットの印刷パターンを生成して、前記同時に印刷される複数の前記印刷ドットを特定し、
前記制御部は、特定された前記同時に印刷される複数の前記印刷ドットに基づいて、前記記憶部に記憶された前記発生電磁波ノイズ値から、前記印刷データに基づいて印刷する時に発生する前記発生電磁波ノイズ値を特定することを特徴とする印刷装置。
【請求項４】
請求項１から３のいずれか一項において、
さらに、外部機器と通信を行うインターフェイス部を備え、
前記記憶部は、記憶するデータの書換えが可能な不揮発性メモリーであって、
前記制御部は、前記インターフェイス部を介して前記外部機器から前記電磁波ノイズデータを取り込み、取り込んだ前記電磁波ノイズデータを前記記憶部に記憶させることを特徴とする印刷装置。
【請求項５】
印刷媒体に印刷ドットを印刷するために複数の印刷駆動部を駆動し、
前記印刷駆動部の駆動に伴い発生する電磁波ノイズの値である発生電磁波ノイズ値と前記発生電磁波ノイズの許容値を示す許容電磁波ノイズ値とを記憶し、
前記発生電磁波ノイズ値が前記許容電磁波ノイズ値以下となるように、同時に駆動する前記印刷駆動部の数を制御することを特徴とする印刷装置の制御方法。
【発明の詳細な説明】
【技術分野】
【０００１】
本発明は、印刷を行う際に発生する電磁波ノイズを低減する印刷装置および印刷装置の制御方法に関する。
【背景技術】
【０００２】
従来から、印刷される文字や画像が印刷データとしてデジタルデータで表され、当該デジタルデータに基づいて印刷ヘッドが駆動され、文字や画像が印刷媒体に印刷される印刷装置がある。例えば、特許文献１には、印刷データに基づいて印刷ヘッドのドットピン（ワイヤーピン）を駆動して文字や画像を印刷するワイヤードット印刷装置（以下、ＳＩＤＭ印刷装置：Serial Impact Dot Matrix）が開示されている。さらに、特許文献１は、ドットピンを駆動する駆動電流によって電磁コイルから磁束（磁界）が発生し、発生した磁束が他の電磁コイルの動作に悪影響を与えるという問題に対する解決手段を開示している。
【先行技術文献】
【特許文献】
【０００３】
【特許文献１】特開平５−１７７８７９号公報
【発明の概要】
【発明が解決しようとする課題】
【０００４】
ところで、特許文献１のＳＩＤＭ印刷装置のように印刷ヘッドを駆動する駆動電流によって電磁コイルに磁束が発生すると、他の電磁コイルの動作に悪影響を与えるのみならず、電磁波となって印刷装置から外部に漏れて電磁波ノイズとなる。電磁波ノイズは、他の電子機器やシステムに障害を与える可能性があるため、できるだけ少なくしなければならない。そのため、電磁波ノイズについては、各国で厳しくその許容値が規制されている。電磁波ノイズとしてのＥＭＩノイズに関する規制（ＥＭＩ規制：Electro Magnetic Interference規制）には、例えば、国際規格としてＣＩＳＰＲ（International Special Committee Radio Interference：国際無線障害特別委員会）規制、国内のＶＣＣＩ（Voluntary Control Council for Information：情報処理装置等電波障害自主規制協議会）規制、米国のＦＣＣ（Federal Communications Commission：連邦通信委員会）規制などがある。これらのＥＭＩ規制では、ＥＭＩノイズの放出量に関する試験方法および許容値について規定している。そのため、ＥＭＩノイズを発生する電子機器およびシステムは、ＥＭＩ規制で規定される許容値以下にＥＭＩノイズを抑えてＥＭＩ規制を遵守する必要がある。
また、ＳＩＤＭ印刷装置に限らず、印刷ヘッドのノズルから選択的にインクを吐出して印刷するインクジェット印刷装置、あるいは印刷ヘッドの発熱素子を選択的に発熱させ感熱紙を使用して印刷するサーマル印刷装置などにおいても、印刷動作時に電子素子や配線に駆動電流が流れるため、電磁波ノイズが発生する可能性がある。
したがって、他の電子機器やシステムに障害を与える可能性を抑えるためにも、そしてＥＭＩ規制を遵守するためにも、発生する電磁波ノイズ値を抑制する手段が重要である。しかしながら、特許文献１では、電磁波ノイズに関する上述のような課題およびその解決手段について、示唆も開示もされていない。
本発明は、印刷データに基づいて発生する電磁波ノイズ値を見積もって、電磁波ノイズ値を抑制する印刷制御を行う低電磁波ノイズ印刷装置を提供するとともに、印刷装置の構成やＥＭＩ規制の許容値が変更されても、容易にＥＭＩ規制に対応可能な低電磁波ノイズ印刷装置を提供することを目的とする。
【課題を解決するための手段】
【０００５】
本発明は、上述の課題の少なくとも一部を解決するためになされたものであり、以下の形態または適用例として実現することが可能である。
【０００６】
（適用例１）
本発明に係る印刷装置は、印刷媒体に印刷ドットを印刷するための複数の印刷駆動部と、電磁波ノイズデータとして、前記印刷駆動部の駆動に伴い発生する電磁波ノイズの値である発生電磁波ノイズ値と前記発生電磁波ノイズの許容値を示す許容電磁波ノイズ値とを記憶する記憶部と、前記印刷駆動部の駆動を制御する制御部と、を備え、前記制御部は、前記発生電磁波ノイズ値が前記許容電磁波ノイズ値以下となるように、同時に駆動する前記印刷駆動部の数を制御することを特徴とする。
【０００７】
この構成によれば、印刷装置は、印刷時に発生する発生電磁波ノイズ値が許容電磁波ノイズ値よりも大きくなる場合は、発生電磁波ノイズ値が許容電磁波ノイズ値よりも小さくなるように、同時に印刷する複数の印刷ドットの数を削減する制御を行う。具体的には、印刷駆動部を駆動する数を削減する制御をして印刷を行う。これにより、印刷時に発生する発生電磁波ノイズが抑制されて少なくなるため、発生電磁波ノイズ値を許容電磁波ノイズ値以下にすることができる。また、印刷装置は、電磁波ノイズデータとしての発生電磁波ノイズ値および許容電磁波ノイズ値を記憶部に記憶するため、印刷装置の構成やＥＭＩ規制の許容値が変更された場合でも、それに合わせて記憶された電磁波ノイズデータが変更されることによって容易にＥＭＩ規制に対応できる。
【０００８】
（適用例２）
上記適用例において、前記制御部は、複数の前記印刷ドットを所定の時間間隔を空けて分割して前記印刷駆動部を制御することにより、前記同時に印刷される複数の前記印刷ドットの数を削減することが望ましい。
【０００９】
この構成によれば、複数の印刷ドットが、分割されて所定の時間間隔を空けて印刷される。そのため、同時に印刷する印刷ドットの数が削減されて、印刷時に発生する発生電磁波ノイズが抑制されて少なくなる。
【００１０】
（適用例３）
上記適用例において、印刷装置は、さらに、印刷パターン生成部を備え、前記印刷パターン生成部は、印刷データから前記印刷ドットの印刷パターンを生成して、前記同時に印刷される複数の前記印刷ドットを特定し、前記制御部は、特定された前記同時に印刷される複数の前記印刷ドットに基づいて、前記記憶部に記憶された前記発生電磁波ノイズ値から、前記印刷データに基づいて印刷する時に発生する前記発生電磁波ノイズ値を特定することが望ましい。
【００１１】
この構成によれば、印刷パターン生成部が、印刷データから印刷ドットの印刷パターンを生成する。その結果、同時に印刷される複数の印刷ドットが特定される。そのため、制御部は、同時に印刷される複数の印刷ドットが把握でき、記憶部に記憶された発生電磁波ノイズ値のデータから、印刷データに基づいて印刷する時に発生する発生電磁波ノイズ値を特定することができる。
【００１２】
（適用例４）
上記適用例において、印刷装置は、さらに、外部機器と通信を行うインターフェイス部を備え、前記記憶部は、記憶するデータの書換えが可能な不揮発性メモリーであって、前記制御部は、前記インターフェイス部を介して前記外部機器から前記電磁波ノイズデータを取り込み、取り込んだ前記電磁波ノイズデータを前記記憶部に記憶させることが望ましい。
【００１３】
この構成によれば、印刷装置は、外部機器と通信を行うインターフェイス部を備えるため、外部機器との間でデータの送受信が可能になる。さらに、記憶部はデータの書換えが可能な不揮発性メモリーであるため、印刷装置は、インターフェイス部を介して外部機器から新たな電磁波ノイズデータを取り込み、記憶部としての不揮発性メモリーに記憶されている電磁波ノイズデータを新たな電磁波ノイズデータに書換えることができる。そのため、印刷装置は、記憶部の交換などといった物理的な作業をすることなく、適宜、電気的に電磁波ノイズデータの置換えが可能となる。その結果、印刷装置の構成やＥＭＩ規制の許容値が変更された場合でも、それに合わせて記憶する電磁波ノイズデータを適宜変更することで、容易にＥＭＩ規制に対応できる。
【００１４】
（適用例５）
本発明に係る印刷装置の制御方法は、印刷媒体に印刷ドットを印刷するために複数の印刷駆動部を駆動し、前記印刷駆動部の駆動に伴い発生する電磁波ノイズの値である発生電磁波ノイズ値と前記発生電磁波ノイズの許容値を示す許容電磁波ノイズ値とを記憶し、前記発生電磁波ノイズ値が前記許容電磁波ノイズ値以下となるように、同時に駆動する前記印刷駆動部の数を制御することを特徴とする。
【００１５】
この方法によれば、印刷装置は、印刷時に発生する発生電磁波ノイズ値が許容電磁波ノイズ値よりも大きくなる場合は、発生電磁波ノイズ値が許容電磁波ノイズ値よりも小さくなるように、同時に印刷する複数の印刷ドットの数を削減する制御を行う。具体的には、印刷駆動部を駆動する数を削減する制御を行う。これにより、印刷時に発生する発生電磁波ノイズが抑制されて少なくなるため、発生電磁波ノイズ値を許容電磁波ノイズ値以下にすることができる。また、印刷装置は、電磁波ノイズデータとしての発生電磁波ノイズ値および許容電磁波ノイズ値を記憶部に記憶するため、印刷装置の構成やＥＭＩ規制の許容値が変更された場合でも、それに合わせて記憶された電磁波ノイズデータが変更されることによって容易にＥＭＩ規制に対応できる。
【図面の簡単な説明】
【００１６】
【図１】印刷装置の内部構成を示す斜視図。
【図２】印刷ヘッドにおける印刷ドット配列の一例を示す図。
【図３】印刷ヘッドの駆動回路の一例を示す図。
【図４】印刷ヘッドの構造の一例を示す図。
【図５】印刷装置のシステム構成を示すブロック図。
【図６】印刷装置の動作を示すフローチャート。
【図７】電磁波ノイズデータの一例を示す図。
【図８】印刷パターンの一例を示す図。
【図９】電磁波ノイズデータの他の一例を示す図。
【発明を実施するための形態】
【００１７】
（実施形態）
以下、本発明を適用した印刷装置の実施形態について図面を参照して説明する。本実施形態では、印刷装置として、ＳＩＤＭ印刷装置１（以下、単に印刷装置１と称する）を例に挙げて説明する。
なお、以下の説明で参照する図面では、説明および図示の便宜上、部材ないし部分の縦横の縮尺を実際のものとは異なるように表す場合がある。また、説明に必要な構成要素以外は、図示を省略する場合がある。
【００１８】
（印刷装置の全体構成）
図１は、印刷装置１の内部構成を示す斜視図である。印刷装置１は、単票紙、フィルム、複数枚の用紙が重ね合わされた複写紙、冊子様態の通帳やノートなどに、文字情報や画像などの印刷データを印刷する。図１に示す印刷装置１は、印刷媒体として単票紙４０が装填されている。
【００１９】
印刷媒体挿入口３０から挿入された単票紙４０は、搬送ローラー（不図示）などによって、印刷位置Ｑへ搬送される。印刷位置Ｑには、複数の印刷用のドットピンを有する印刷ヘッド２２（図２参照）、および印刷ヘッド２２に対向してプラテン３４が配設される。印刷ヘッド２２は、キャリッジ２０に搭載され、キャリッジ２０は、単票紙４０が搬送される第１方向と交わる走査方向に往復移動（走査）される。プラテン３４は、単票紙４０が搬送されて摺動する面に配設される。
【００２０】
印刷ヘッド２２の近傍には、プラテン３４に対向して、インクリボンカセット６０が配置される。インクリボンカセット６０からは、インクリボン６１が供給され、インクリボン６１は、印刷ヘッド２２とプラテン３４との間を通り抜けるようにセットされる。単票紙４０は、印刷位置Ｑにおいてインクリボン６１とプラテン３４との間を通過する。また、印刷媒体挿入口３０近傍には、単票紙４０の浮き上がりを押える印刷媒体押え部３２が配設される。
【００２１】
（印刷ヘッド）
図２は、印刷ヘッド２２におけるドットピンＰ１〜Ｐ２４の配列の一例を示す図である。図２に示すように、印刷ヘッド２２には、ドットピンＰ１〜Ｐ２４が、単票紙４０の搬送される第１方向に１列に並べて配置される。印刷時には、印刷データに基づいて生成される印刷パターンに対応して、ドットピンＰ１〜Ｐ２４のいずれかがプラテン３４に向けて印刷ヘッド２２から突出する。これにより、インクリボン６１が単票紙４０に押し付けられて、１のドットピンに対応して１の印刷ドットが印刷され、これが繰り返されることで印刷データの印刷が行われる。ドットピンＰ１〜Ｐ２４は、印刷パターンに応じて、１のドットピンが突出する場合、２以上の複数のドットピンが同時に突出する場合、あるいはすべてのドットピンが同時に突出する場合がある。
【００２２】
図３は、印刷ヘッド２２の駆動回路７３の一例を示す図である。図４は、印刷ヘッド２２の構造の一例を示す図であり、ドットピンＰ１の部分について記載した断面図である。他のドットピンＰ２〜Ｐ２４も同様の構造を有する。
図３に示すように、駆動回路７３は、抵抗７５、トランジスター７６、および電源７９を含む。また、図４に示すように、印刷ヘッド２２は、リング形状に巻かれたコイル７７（Ｃ１）の中心孔にドットピンＰ１が貫通して構成される。ドットピンＰ１は、スプリング２４によって印刷ヘッド２２に収納される方向（矢印Ｆの反対方向）に付勢される。
【００２３】
駆動回路７３は、後述のヘッド駆動タイミング制御部７１（図５参照）から駆動信号Ｄ１〜Ｄ２４を受けて、対応するドットピンＰ１〜Ｐ２４を突出させるコイル７７（Ｃ１〜Ｃ２４）に駆動電流を流す。例えば、ドットピンＰ１を突出させる場合は、駆動信号Ｄ１がＨｉレベルとなって、抵抗７５（Ｒ１）を通じてトランジスター７６（Ｔｒ１）にベース電流が流れ込む。これにより、トランジスター７６（Ｔｒ１）がＯＮするため、コイル７７（Ｃ１）に電源７９から駆動電流が流れる。コイル７７（Ｃ１）に駆動電流が流れると、コイル７７（Ｃ１）が励磁されて磁束が発生し、その磁力によって引っ張られ、スプリング２４の付勢力に打ち勝ってドットピンＰ１が矢印Ｆの方向に突出する（図４参照）。同様に、複数のドットピンＰ１〜Ｐ２４が同時に突出する場合は、すべてのトランジスター７６（Ｔｒ１〜Ｔｒ２４）がＯＮして、すべてのコイル７７（Ｃ１〜Ｃ２４）が同時に励磁される。コイル７７は、印刷媒体である単票紙４０に印刷ドットを印刷するための印刷駆動部の一部であり、コイル７７の数だけ（つまり、ドットピンの数だけ）複数の印刷駆動部がある。
なお、以下では、「駆動回路７３を駆動して、コイル７７に駆動電流を流し、ドットピンを突出させること」を単に「ドットピンを駆動する」と称する場合がある。
【００２４】
上述のように、印刷時にはコイル７７に磁束が発生し、磁束が印刷装置１から外部に漏れ出すと電磁波ノイズとなる。また、コイル７７から発生する磁束のみならず、印刷時に駆動回路７３などの回路に流れる電流によって電磁波ノイズが発生する可能性もある。そして、同時に突出するドットピンＰ１〜Ｐ２４の数が多いほど、それぞれのコイル７７に発生する磁束が重畳したり回路などに流れる駆動電流が大きくなるため、発生する電磁波ノイズの大きさ（発生電磁波ノイズ値）が大きくなる。すなわち、駆動回路７３に含まれる抵抗７５、トランジスター７６も印刷駆動部の一部といえる。
【００２５】
（印刷装置のシステム構成）
次に、印刷装置１のシステム構成について説明する。図５は、印刷装置１のシステム構成を示すブロック図である。図５に示すように、印刷装置１は、少なくとも、制御部５１、印刷部５２、および記憶部５３を備える。また、印刷装置１は、さらに印刷パターン生成部５４およびインターフェイス部５５を備えてもよい。
【００２６】
制御部５１は、ＣＰＵ（Central Processing Unit）、ＲＯＭ（Read Only Memory）、ＲＡＭ（Random Access Memory）、ＡＳＩＣ（Application Specific Integrated Circuit）などを備えて構成され、ＲＯＭに保持されたプログラムに基づきＣＰＵが動作することにより、印刷装置１の各部を制御する。
詳細は後述するが、例えば、制御部５１は、印刷データの印刷を行う場合、印刷内容に応じて単票紙４０への印刷条件（例えば、印刷範囲、印刷濃度など）を決定する。その後、制御部５１は、図示しない操作部へのユーザーの操作やインターフェイス部５５を介して接続された外部機器３から送られる指令に基づいて、印刷部５２を制御し決定した印刷条件に基づいて印刷を実行させる。また、制御部５１は、印刷データから印刷パターンを生成し、印刷時にドットピンＰ１〜Ｐ２４のいずれをどのタイミングで使用するかを特定して印刷部５２に印刷を行わせる。
【００２７】
印刷部５２は、印刷ヘッド２２、印刷ヘッド２２を駆動する駆動回路７３（図３参照）、および印刷ヘッド２２の駆動タイミングを制御するヘッド駆動タイミング制御部７１を備える。さらに、印刷部５２は、印刷ヘッド２２を走査し単票紙４０の搬送などを行う印刷機構（不図示）を備える。印刷部５２は、制御部５１の制御に従って、単票紙４０に文字や画像などの印刷データを印刷し、印刷済みの単票紙４０を外部に排出する。
ヘッド駆動タイミング制御部７１は、制御部５１からの指示に基づいて、ドットピンＰ１〜Ｐ２４を突出させる駆動タイミングを制御する。詳細は後述するが、例えば、ドットピンＰ１〜Ｐ２４が制御部５１から指示される所定の時間間隔で分割して突出するように、駆動回路７３を動作させるタイミングを制御する。なお、「時間間隔」は、駆動回路７３の駆動を開始する時間の間隔であるため、以下「駆動間隔」と称する。
【００２８】
記憶部５３は、ＲＯＭや不揮発性メモリーで構成され、電磁波ノイズデータや、印刷テンプレートおよび既定文章などの所定の印刷データを記憶する。電磁波ノイズデータとしては、印刷ヘッド２２が駆動される時に発生する発生電磁波ノイズ値のデータおよび各種規制に準拠する発生電磁波ノイズ値の許容値を示す許容電磁波ノイズ値のデータが記憶される。
発生電磁波ノイズ値は、電子機器の構造や使用される素材によってその値が決まる。そのため、記憶部５３に記憶される発生電磁波ノイズ値は、印刷装置１に特有のデータである。さらに、細かく言えば、同じ印刷装置１でも機体毎に発生電磁波ノイズ値が異なる。また、構造変更などが生じると、発生電磁波ノイズ値が変化する。したがって、記憶部５３は、電磁波ノイズデータが容易に変更できることが望ましい。
そこで、印刷装置１では、記憶部５３にＩＣソケットを備えて、ユーザーが、電磁波ノイズデータを記憶するＲＯＭを容易に差し替え可能とする。あるいは、印刷装置１は、記憶部５３がデータの書換えが可能な不揮発性メモリーで構成され、制御部５１によって、インターフェイス部５５を介して外部機器３から新たな電磁波ノイズデータを取り込み、不揮発性メモリーに記憶されている電磁波ノイズデータを新たな電磁波ノイズデータに書換え可能とする。
【００２９】
印刷パターン生成部５４は、例えばＡＳＩＣで構成され、印刷データから印刷パターンを生成する。印刷パターン生成部５４は、制御部５１から送信される印刷データに基づいて、ドットピンＰ１〜Ｐ２４を突出させるタイミングを決める印刷パターンを生成し、適宜印刷パターンを制御部５１に返信する。
このように、印刷装置１が印刷パターン生成部５４を備えることによって、印刷パターン生成部５４が制御部５１に代わって印刷パターンを生成するため、制御部５１の処理の負荷が軽減されて、印刷処理の速度を上げることができる。
【００３０】
インターフェイス部５５は、ＬＡＮ（Local Area Network）インターフェイスやＵＳＢ（Universal Serial Bus）インターフェイスなどであり、印刷装置１は、インターフェイス部５５を介して、ホスト装置などの外部機器３との間で通信を行う。
【００３１】
（印刷装置の動作）
次に、印刷装置１の動作および制御方法について、図６のフローチャートに沿って、図７および図８を参照して説明する。そのため、図７および図８について先に説明する。
【００３２】
図７は、記憶部５３に記憶される電磁波ノイズデータの一例を示す図である。図７において、テーブル８０は、あらかじめ計測されたドットピンＰ１〜Ｐ２４がすべて突出される場合に発生する発生電磁波ノイズ値のピーク値のデータと許容電磁波ノイズ値のデータとを示す。
具体的には、例えば、テーブル８０中の駆動間隔が０μＳ（マイクロ秒）の行には、ドットピンＰ１〜Ｐ２４がすべて同時に駆動されて突出する場合の発生電磁波ノイズ値（４７．６ｄＢμＶ／ｍ）が記される。また、駆動間隔が１μＳ以降の行には、ドットピンＰ１〜Ｐ２４が第１グループおよび第２グループの２つのグループに等分割され、２つのグループが所定の駆動間隔で駆動されてドットピンが突出する場合の発生電磁波ノイズ値が記される。例えば、駆動間隔が３μＳの行には、第１グループのドットピンと第２グループのドットピンとが３μＳの時間を空けて駆動されて突出する場合の発生電磁波ノイズ値（４１．５ｄＢμＶ／ｍ）が記されている。つまり、駆動間隔が０μＳで、すべてのドットピンＰ１〜Ｐ２４が同時に駆動される場合は、発生電磁波ノイズが重畳されて発生電磁波ノイズ値が大きくなるが、駆動間隔を取って分散して駆動される場合は、重畳される発生電磁波ノイズが少なくなるため発生電磁波ノイズ値が小さくなるのである。
【００３３】
そのため、駆動間隔が０μＳの時の発生電磁波ノイズ値が最大であり、駆動間隔を長くし、駆動の重複時間が少なくなるほど、発生電磁波ノイズ値が減少する。したがって、駆動間隔が駆動時間を超えると、駆動時間の重複がなくなるため、２つのグループに等分割されて駆動する場合は、発生電磁波ノイズ値が最大のほぼ半分以下となる。
【００３４】
また、テーブル８０は、許容電磁波ノイズ値を含み、例えば、ＥＭＩ規制におけるクラスＡの許容電磁波ノイズ値（例えば、４２．０ｄＢμＶ／ｍ）とクラスＢの許容電磁波ノイズ値（例えば、３８．０ｄＢμＶ／ｍ）とが記される。さらに、各駆動間隔における発生電磁波ノイズ値が、許容電磁波ノイズ値の許容範囲内であれば「○」、許容範囲外であれば「×」の判定符号が記される。
【００３５】
したがって、テーブル８０から、すべてのドットピンＰ１〜Ｐ２４が同時に突出される行のある印刷パターンが存在する場合は、クラスＡの規制に適合するためには、その行を印刷する時に、駆動間隔を３μＳ以上取って第１グループのドットピンと第２グループのドットピンとが駆動されればよいことが分かる。また、同様に、クラスＢの規制に適合するためには、その行を印刷する時に、駆動間隔を７μＳ以上取って第１グループのドットピンと第２グループのドットピンとが駆動されればよいことが分かる。
【００３６】
なお、本実施形態では、説明の煩雑さを避けるため、ドットピンＰ１〜Ｐ２４が２つのグループに等分割されてすべて駆動される場合の発生電磁波ノイズ値のデータが記されたテーブル８０を示した。しかしながら、記憶部５３は、１以上の複数のドットピンＰ１〜Ｐ２４が組み合わされて同時に駆動される場合の発生電磁波ノイズ値が記されたテーブルを個別に記憶してもよい（例えば、後述の図９）。さらに、発生電磁波ノイズ値および許容電磁波ノイズ値は周波数帯域に応じて異なるため、記憶部５３は、周波数帯域毎に個別のテーブルを記憶してもよい。
【００３７】
また、記憶部５３に記憶させる電磁波ノイズデータのテーブル８０は、印刷装置１を使用して実際に印刷させ、その時の発生電磁波ノイズ値を計測して作成されることが望ましい。この場合、印刷装置１の個々の機体毎に発生電磁波ノイズ値を計測してテーブル８０を作成してもよいし、複数の機体による計測結果に基づいて印刷装置１全体に適用可能な発生電磁波ノイズ値を算出してテーブル８０を作成してもよい。
【００３８】
図８は、印刷パターンの一例を示す図であり、文字「Ｅ」を印刷装置１で印刷する場合の印刷パターンを示したものである。図８において、縦軸はドットピンＰ１〜Ｐ２４に対応する印刷ドットを示し、横軸は、時間ｔ１〜ｔ１３を示すとともに印刷結果における列Ｌ１〜Ｌ１０を示す。つまり、印刷ヘッド２２が搭載されたキャリッジ２０が、時間毎（ｔ１〜ｔ１３）に走査方向（図８において、正面視右方向）に１列分移動する。
【００３９】
図８には、印刷パターンＡおよび印刷パターンＢの２つの印刷パターンが示される。
印刷パターンＡでは、時間ｔ１〜ｔ３（列Ｌ１〜Ｌ３に対応）において、ドットピンＰ１〜Ｐ２４のすべてが同時に駆動されて印刷が行われる。つまり、時間ｔ１においてドットピンＰ１〜Ｐ２４のすべてが同時に駆動されて列Ｌ１が印刷され、その後、キャリッジ２０が走査方向に１列分移動される。続いて、時間ｔ２においてドットピンＰ１〜Ｐ２４のすべてが同時に駆動されて列Ｌ２が印刷される。同様にして、時間ｔ３において列Ｌ３が印刷される。
【００４０】
一方、印刷パターンＢでは、ドットピンＰ１〜Ｐ２４が２つのグループに分割され、列Ｌ１が、時間ｔ１および時間ｔ２のタイミングに分かれて印刷される。具体的には、時間ｔ１において奇数番号のドットピンＰ１，Ｐ３，・・・が駆動され、時間ｔ２において偶数番号のドットピンＰ２，Ｐ４，・・・が駆動される。さらに、時間ｔ１から時間ｔ２では、キャリッジ２０は走査方向に印刷ドットのズレが許容できる範囲の速度で移動する。したがって、時間ｔ１と時間ｔ２とで、同じ列の位置に印刷が行われ、列Ｌ１が印刷される。同様に、列Ｌ２は、時間ｔ３および時間ｔ４で印刷され、列Ｌ３は、時間ｔ５および時間ｔ６で印刷される。
【００４１】
その結果、印刷パターンＡと印刷パターンＢとでは、単票紙４０に印刷された結果（文字「Ｅ」の印刷結果）が同一となるとともに、印刷パターンＢは、印刷パターンＡに比べて、同時に駆動されるドットピンの数が削減され、発生電磁波ノイズ値が少なくなる。一方、印刷時間は、印刷パターンＢが、印刷パターンＡに比べて時間ｔ４〜ｔ６の分だけ長くなる。
【００４２】
続いて、印刷装置１の動作および制御方法について説明する。図６は、印刷装置１の動作を示すフローチャートである。
【００４３】
ステップＳ０１：制御部５１は、記憶部５３が保存する印刷データの中から、あるいはインターフェイス部５５を介して外部機器３から、印刷すべき印刷データを取得して、ステップＳ０２へ進む。
【００４４】
ステップＳ０２：制御部５１は、ステップＳ０１で取得した印刷データから、印刷ヘッド２２のドットピンＰ１〜Ｐ２４（印刷ドット）に対応した印刷パターンを生成する。このとき、制御部５１は、自身で印刷パターンを生成してもよいし、印刷装置１が印刷パターン生成部５４を備える場合は、印刷データを印刷パターン生成部５４に送り、印刷パターン生成部５４に印刷パターンを生成させてもよい。
【００４５】
ステップＳ０３：続いて、制御部５１は、印刷パターンから、印刷データを印刷する時にどのドットピンを同時に駆動するか特定する。例えば、文字「Ｅ」を印刷する場合は、制御部５１は、印刷パターンＡ（図８参照）から、時間ｔ１〜ｔ３においてドットピンＰ１〜Ｐ２４のすべてが同時に駆動され、時間ｔ４〜ｔ１０においてドットピンＰ１〜Ｐ４とドットピンＰ１１〜Ｐ１４とドットピンＰ２１〜Ｐ２４とが同時に駆動されることを特定し、ステップＳ０４へ進む。
【００４６】
ステップＳ０４：制御部５１は、記憶部５３が記憶する電磁波ノイズデータを参照して、印刷データを印刷する時に発生する発生電磁波ノイズ値が許容電磁波ノイズ値を超えるか否か確認する。
その結果、発生電磁波ノイズ値が許容電磁波ノイズ値を超えない場合（ステップＳ０４の”Ｎ”）は、ステップＳ０５へ進む。
一方、発生電磁波ノイズ値が許容電磁波ノイズ値を超える場合（ステップＳ０４の”Ｙ”）は、ステップＳ０６へ進む。具体的には、電磁波ノイズデータのテーブル８０（図７参照）で示されるように、ドットピンＰ１〜Ｐ２４のすべてが同時に駆動される時の発生電磁波ノイズ値は４７．６ｄＢμＶ／ｍ（駆動間隔が０μＳの行）であり、クラスＡの許容電磁波ノイズ値（４２．０ｄＢμＶ／ｍ）およびクラスＢの許容電磁波ノイズ値（３８．０ｄＢμＶ／ｍ）を超えるため、ステップＳ０６へ進む。
【００４７】
ステップＳ０５：印刷パターンＡに基づいて印刷を行っても、印刷時に、発生電磁波ノイズ値が許容電磁波ノイズ値を超えないため、制御部５１は、印刷パターンＡを何ら加工せずにそのまま印刷を実行して、処理を終了する。
【００４８】
ステップＳ０６：印刷パターンＡに基づいて印刷を行うと、印刷時に、発生電磁波ノイズ値が許容電磁波ノイズ値を超えるため、制御部５１は、印刷パターンＡを加工する。具体的には、制御部５１は、印刷パターンＡを印刷パターンＢに変換する。そのため、ドットピンＰ１〜Ｐ２４を、奇数番号のドットピンＰ１，Ｐ３，・・・で構成される第１グループ（第１Ｇ）と偶数番号のドットピンＰ２，Ｐ４，・・・で構成される第２グループ（第２Ｇ）とに分割して、ステップＳ０７へ進む。
【００４９】
ステップＳ０７：次に、制御部５１は、電磁波ノイズデータのテーブル８０に基づいて、第１グループのドットピンの駆動と第２グループのドットピンの駆動との駆動間隔を決定する。
例えば、テーブル８０によれば、ドットピンＰ１〜Ｐ２４のすべてが同時に駆動される時の発生電磁波ノイズ値は、４７．６ｄＢμＶ／ｍ（駆動間隔が０μＳの行）であり、クラスＡの許容電磁波ノイズ値以上であって、判定符号は「×」である。さらに、テーブル８０によれば、第１グループと第２グループとの駆動間隔が３μＳであれば、発生電磁波ノイズ値が、４１．５ｄＢμＶ／ｍ（駆動間隔が３μＳの行）になって、発生電磁波ノイズ値がクラスＡの許容電磁波ノイズ値以下になり、判定符号は「○」である。したがって、制御部５１は、テーブル８０のクラスＡ許容値の行の判定符号が「○」である駆動間隔の候補から第１グループと第２グループとの駆動間隔を選択し決定する。
さらに、クラスＢに適合させるためには、制御部５１は、クラスＢ許容値の行の判定符号が「○」である駆動間隔の候補から、第１グループと第２グループとの駆動間隔を選択し決定する。例えば、駆動間隔が７μＳに決定されれば、発生電磁波ノイズ値が３７．３ｄＢμＶ／ｍ（駆動間隔が７μＳの行）となって、発生電磁波ノイズ値をクラスＢの許容電磁波ノイズ値より小さくできる。ただし、駆動間隔が広がった分、印刷時間が長くなる。
このように、制御部５１は、印刷装置１が求められる許容電磁波ノイズ値と印刷時間とを考慮して駆動間隔を決定するようプログラムが作られる。
【００５０】
ステップＳ０８：制御部５１は、ステップＳ０６およびステップＳ０７で決定された印刷条件と印刷パターンとを印刷部５２（図５参照）に送信して印刷を実行させる。印刷部５２のヘッド駆動タイミング制御部７１は、受信した印刷条件と印刷パターンとから、ドットピンＰ１〜Ｐ２４を駆動させるタイミングを２つに分けて（例えば、ｔ１とｔ２）駆動信号Ｄ１〜Ｄ２４を生成し、駆動回路７３に出力する。駆動回路７３は、図８で説明したタイミングでドットピンＰ１〜Ｐ２４を駆動して印刷を実行し、処理を終了する。
【００５１】
（作用効果）
以上のように、本実施形態によれば、印刷装置１の制御部５１は、印刷データに対応して、印刷時の発生電磁波ノイズ値と許容電磁波ノイズ値とを比較する。その結果、発生電磁波ノイズ値が許容電磁波ノイズ値よりも大きくなる場合は、複数のドットピン（印刷ドット）を分割し時間間隔（駆動間隔）を空けて駆動し、同時に駆動されるドットピンの数を削減して印刷部５２に印刷させる。これにより、発生電磁波ノイズが抑制されて少なくなり、許容電磁波ノイズ値以下にできる。
また、印刷装置１は、電磁波ノイズデータとしての発生電磁波ノイズ値および許容電磁波ノイズ値を記憶部５３に記憶する。記憶部５３は、交換可能なＲＯＭや書換え可能な不揮発性メモリーで構成されるため、印刷装置１の構成やＥＭＩ規制の許容値が変更された場合でも、それに合わせて記憶された電磁波ノイズデータが変更できる。そのため、ＥＭＩ規制に対応するのが容易になる。
【００５２】
また、印刷装置１は、印刷パターン生成部５４を備えることにより、印刷データから印刷パターンを生成する処理を印刷パターン生成部５４に行わせることができるため、制御部５１の処理の負荷が軽減されて、印刷処理の速度を上げることができる。
さらに、印刷装置１は、外部機器３と通信を行うインターフェイス部５５を備えることにより、外部機器３から新たな電磁波ノイズデータを取り込んで記憶部５３の不揮発性メモリーに保存できる。その結果、印刷装置１の構成やＥＭＩ規制の許容値が変更された場合でも、それに合わせて記憶する電磁波ノイズデータを適宜変更することで、ＥＭＩ規制への対応が容易になる。
【００５３】
次に、発生電磁波ノイズデータの他の一例を説明する。図９は、１以上の複数のドットピンＰ１〜Ｐ２４が組み合わされて同時に駆動される場合の発生電磁波ノイズ値が記されたテーブル９０を示す。テーブル９０には、同時に駆動されるドットピン数（同時駆動ピン数）に対応した発生電磁波ノイズ値のデータと許容電磁波ノイズ値のデータとが記される。
【００５４】
具体的には、テーブル９０において、例えば、同時駆動ピン数が２４の場合、発生電磁波ノイズ値は４７．６ｄＢμＶ／ｍであり、同時駆動ピン数が１７の場合、発生電磁波ノイズ値は４１．９ｄＢμＶ／ｍであり、同時駆動ピン数が１の場合、発生電磁波ノイズ値は３５．７ｄＢμＶ／ｍである。
また、許容電磁波ノイズ値として、例えば、ＥＭＩ規制におけるクラスＡの許容電磁波ノイズ値（例えば、４２．０ｄＢμＶ／ｍ）とクラスＢの許容電磁波ノイズ値（例えば、３８．０ｄＢμＶ／ｍ）とが記される。さらに、各同時駆動ピン数における発生電磁波ノイズ値が、許容電磁波ノイズ値の許容範囲内であれば「○」、許容範囲外であれば「×」の判定符号が記される。
【００５５】
したがって、複数のドットピンが組み合わされて同時に突出される行のある印刷パターンが存在する場合、クラスＡの規制に適合するためには、テーブル９０から、その行を印刷する時に、同時に駆動するドットピン数を１７以下にする必要があることが分かる。また、同様に、クラスＢの規制に適合するためには、その行を印刷する時に、同時に駆動するドットピン数を８以下にすればよいことが分かる。
【００５６】
以上のように、ＥＭＩ規制に適合させるために、同時に駆動できるドットピン数がテーブル９０から把握される。したがって、印刷装置１は、印刷パターンを生成して同時駆動ピン数を特定した時に、当該同時駆動ピン数における発生電磁波ノイズ値が、許容電磁波ノイズ値の許容範囲内であるか否かを、テーブル９０に基づいて確認することができる。そして、許容電磁波ノイズ値が許容範囲外である場合は、同時駆動ピン数を削減すべく、分割駆動を行い、ＥＭＩ規制に適合させることができる。
【００５７】
（変形例）
以上、本発明の実施形態を説明したが、本発明の主旨を逸脱しない範囲において、例えば下記のように、さまざまな変形が可能である。
【００５８】
（変形例１）
前述の実施形態では、印刷装置としてＳＩＤＭ印刷装置１を例に挙げて説明した。しかしながら、本発明の技術は、印刷ヘッドのノズルから選択的にインクを吐出して印刷するインクジェット印刷装置、あるいは印刷ヘッドの発熱素子を選択的に発熱させ感熱紙を使用して印刷するサーマル印刷装置にも適用可能である。インクジェット印刷装置の場合、１の印刷ドットはインクジェットヘッドの１のノズルで形成され、サーマル印刷装置の場合、１の印刷ドットはサーマルヘッドの１の発熱素子で形成される。インクジェット印刷装置あるいはサーマル印刷装置において、前述の実施形態と同様に、印刷ドットを印刷する時に発生する発生電磁波ノイズ値を計測して電磁波ノイズデータを作成し記憶部５３に記憶させればよい。
【００５９】
（変形例２）
また、前述したように、電磁波ノイズデータは、個々の機体毎、周波数帯域毎、あるいは印刷ドットの組み合わせ毎に個別に作成され記憶部５３に記憶されてもよい。このようにすれば、発生する電磁波ノイズを抑制する印刷制御が、さらに適切に可能となる。
【００６０】
（変形例３）
また、前述したように、ドットピンＰ１〜Ｐ２４を駆動させるタイミングを２つに分けて説明したが、３分割、４分割としてもよい。このようにすれば、発生する電磁波ノイズを抑制する印刷制御が、さらに適切に可能となる。
【００６１】
なお、本発明は、前述の実施形態や変形例に限られるものではなく、その主旨を逸脱しない範囲において種々の構成で実現することができる。例えば、実施形態や変形例中の技術的特徴は、前述の課題の一部又は全部を解決するために、あるいは、前述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６２】
１…印刷装置、３…外部機器、２０…キャリッジ、２２…印刷ヘッド、２４…スプリング、３０…印刷媒体挿入口、３２…印刷媒体押え部、３４…プラテン、４０…単票紙、５１…制御部、５２…印刷部、５３…記憶部、５４…印刷パターン生成部、５５…インターフェイス部、６０…インクリボンカセット、６１…インクリボン、７１…ヘッド駆動タイミング制御部、７３…駆動回路、７５…抵抗、７６…トランジスター、７７…コイル、７９…電源、８０…テーブル、９０…テーブル、Ｄ１〜Ｄ２４…駆動信号、Ｌ１〜Ｌ１０…列、Ｐ１〜Ｐ２４…ドットピン、ｔ１〜ｔ１３…時間。
【図１】
2018153951.tif 000003
【図２】
2018153951.tif 000004
【図３】
2018153951.tif 000005
【図４】
2018153951.tif 000006
【図５】
2018153951.tif 000007
【図６】
2018153951.tif 000008
【図７】
2018153951.tif 000009
【図８】
2018153951.tif 000010
【図９】
2018153951.tif 000011